(57)【要約】【課題】発熱部品が近接した筐体の外郭部品に触れたときに感じる熱さ感覚を緩和させる電子装置を提供すること。【解決手段】発熱部品を有するプリント基板と、回路基板を囲う金属製の外郭部品と、発熱部品に対面して外郭部品に貼り付けられた絶縁シートとを備え、外郭部品の絶縁シートが貼り付けられた位置に多数の孔群を形成したことにより、発熱部品の近くにある外郭部品の熱容量を低減し、発熱部品が近接した筐体の外郭部品に触れたときに感じる熱さ感覚を緩和させることができる。【選択図】図１
2010249912.tif 000002
【特許請求の範囲】
【請求項１】
発熱部品を有するプリント基板と、
前記回路基板を囲う金属製の外郭部品と、
前記発熱部品に対面して前記外郭部品に貼り付けられた絶縁シートとを備え、
前記外郭部品の前記絶縁シートが貼り付けられた位置に多数の孔群を形成したことを特徴とする電子装置。
【請求項２】
発熱部品を有するプリント基板と、
前記回路基板を囲う金属製の外郭部品と、
前記発熱部品に対面して前記外郭部品に貼り付けられた絶縁シートとを備え、
前記外郭部品の前記絶縁シートが貼り付けられた位置に多数の孔群を形成したことを特徴とするプラズマディスプレイ装置。
【発明の詳細な説明】
【技術分野】
【０００１】
本発明は、筐体に指などが接触したときの触感温度を低減する電子装置に関するもので、特に、プラズマディスプレイ装置に関するものである。
【背景技術】
【０００２】
近年、電子装置は、市場とデザイン上の要望から軽薄短小化が進んでおり、その筐体内部は、プリント基板上の半導体部品の発熱密度の増加と、その基板上の部品間の隙間の減少による通風抵抗の増加により、高温化傾向にある。
【０００３】
また、それらの部品を覆う装置の外表面を形成する筐体は、基板上の発熱部品から十分な距離を離して配置できず、発熱部品の熱により、外郭部品の発熱部品の近傍が高温化する傾向にある。
【０００４】
また、筐体が電磁妨害を遮蔽する目的で金属で形成され、かつ、開放端子電圧が交流３５Ｖ（ピーク値）又は直流６０Ｖを超える危険な活電部が電気抵抗が小さい金属（鉄板金やアルミ板金）の筐体の外郭部品に近接する場合には、筐体の外郭部品を所定の外力（例えば５ｋｇｆ）で押した場合に、その活電部と筐体の外郭部品に安全上必要な耐電圧を確保できる空間距離を設けなければならない。しかし、軽薄短小化するためにその空間距離を取りたくない場合には、その活電部と金属の筐体の外郭部品との間に、安全上必要な耐電圧を確保できる空間距離が確保できないので、樹脂製の絶縁シートを配置して対応している。
【０００５】
このように危険な活電部でもある高発熱部品と絶縁シートと筐体の外郭部品とが近接している場合は、その部品と絶縁シートの間および絶縁シートと筐体の外郭部品の間に隙間が小さすぎて空気が流れないため、この筐体の外郭部品の温度は、近接した高発熱部品により絶縁シートを介して熱せられ、筐体の外郭部品上にその高発熱部品近傍にヒートスポット（周囲より高温の領域）が発生する。その温度は発熱量（Ｗ）に応じて高くなり、４５℃程度になると、使用者が筐体に触ったときに熱さによる不快感や電子装置が異常と疑わせる不安感を与えてしまうという課題がある。
【０００６】
ここで、電子装置の例として、従来のＰＤＰ表示装置の構成について説明する。図７は、従来のＰＤＰ表示装置の構造を示す断面図である。図７に示すように、ＰＤＰ表示装置５００は、前部筐体５１０と、筐体の外郭部品５２０と、前面ガラスパネル５３０と、パネルモジュール５４０と、内部金具５５０と、電気回路基板５６０と、ファン５７０と、絶縁シート５８０とから構成されている。筐体の外郭部品５２０は、上方に放熱孔５２１が、下部には図示しないが吸気孔が設けられている。
【０００７】
ＰＤＰ表示装置５００は、電磁妨害波の遮蔽のため、パネルモジュール５４０、電気回路基板５６０の周りを、鉄板製の筐体の外郭部品５２０と導電性のメッシュフィルムを裏面に有する前面ガラスパネル５３０と内部金具５５０とで囲んだシールド構造が不可欠となっている。このため、筐体の外郭部品５２０の材質として、電磁妨害、筐体輻射に対応できる金属が必須で、樹脂などの電気の導電性の低い材質は電磁妨害、筐体輻射に対応できないので不適切である。しかし、筐体の外郭部品５２０の材質を金属にしたときは樹脂に比べ、接触体感温度が高いことが課題となっている。
【０００８】
上記の課題の対策として、使用者が金属の筐体の外郭部品に触ったときの熱さ感覚（以下の文で、接触したときの体に感じる温度として接触体感温度と定義してそのように記す）を緩和するために、従来の技術では、高発熱部品と絶縁シートと筐体の外郭部品の間のいずれかの間に断熱部材を挟み込み、高発熱部品と筐体の外郭部品の間の熱抵抗を大きくし筐体の外郭部品の表面温度を下げることで、手で触ったときの熱さを緩和させる方法がある。
【０００９】
しかし、この方法は、断熱材の固定手段が必要な点と、断熱部材追加でコストアップする点と、断熱材の分厚みが増し筐体の厚みが大きくなる点が課題となる。
【００１０】
また、他の例として、金属の筐体の外郭部品の外表面に樹脂断熱膜を貼り付けて、筐体の外郭部品に触ったときの熱さ感覚を緩和する方法がある。これは、樹脂の熱伝導率が、例えば、ＰＥＴでは０．２Ｗ／ｍ・Ｋ程度であり、例えば、金属の鉄では熱伝導率が８４Ｗ／ｍ・Ｋ程度に比べ４００倍熱を伝えにくく、０．２ｍｍ程度のＰＥＴシートを貼れば断熱層になり、指で筐体に触ったときに指に移動する単位時間あたりの熱量を大幅に抑えられるため、表面が４５℃の同じ温度の、ＰＥＴシート付き鉄板は単なる鉄板に比べ熱さ感覚を緩和することができるものである。
【００１１】
また、他の例として、高圧静電界における静電吸引力を利用しあらかじめ接着剤を塗布した基材に短繊維（パイル）を垂直に投錨させるパイル植毛を施す方法がある。このパイル植毛を施す方法も植毛が断熱層として働き熱さ感覚を緩和するができる。前記樹脂断熱膜や、前記植毛の構成については、例えば、特許文献１に開示されている。上記植毛については、特許文献２にも開示されている。
【００１２】
また、特許文献１には、金属筐体の外表面に最大粗さ５０μmの凹凸を設けることで、人体と金属筐体の接触面積を凹凸がないときに比べ小さくすることで接触体感温度を低減する方法が開示されている。
【００１３】
これらの植毛や樹脂断熱膜の金属の筐体の外表面への貼り付けは、それに手で触ったときの接触熱抵抗を大きくすることで熱さを緩和させる方法で効果的である。
【先行技術文献】
【特許文献】
【００１４】
【特許文献１】特開２０００−１４８３０６号公報
【特許文献２】特開２００３−０２９６４８号公報
【発明の概要】
【発明が解決しようとする課題】
【００１５】
しかしながら、植毛は、剥げ易い点とコスト高である点が課題である。また、樹脂断熱膜は、膜の分のコストアップする点と剥がれる可能性がある点が課題である。また、金属筐体の外表面に最大粗さ５０μm以上の凹凸を設ける方法については、人肌との接触面積が低減するのでその分熱抵抗が大きくなり効果はあるが、凹凸の形成による金属筐体の熱容量の減少は小さいため、触った直後の過渡的な供給熱流量の減少が少ないため、大きな低減効果は期待できなく、また、量産品の場合金型に多大な凹凸を形成しなければならないため型費が大幅に高くなる点で課題である。
【００１６】
本発明は、前記従来の課題を解決するもので、内側が絶縁シートで覆われた金属の筐体の外郭部品に、低コストなパンチ抜き工程で製造可能な簡単な孔群加工を施すことで、金属筐体に指などの人体が触ったときに接触面積を小さくし、金属筐体を孔抜きすることで金属筐体の熱容量を低下させ、金属筐体から接触した直後の人体への熱の単位時間あたりの移動量を低減させることができることにより、熱い金属に触った時に感じる熱さ感覚を緩和させることができる電子装置を提供することを目的とする。
【００１７】
また、本発明により、高発熱部品が近接した筐体の外郭部品を有するプラズマディスプレイテレビ等の電子装置が抱える上記課題を解決し、使用者が筐体の外郭部品に触れたときに感じる熱さ感覚を孔群の無い筐体の外郭部品に比べ緩和させる電子装置、特にプラズマディスプレイ装置を提供することを目的とする。
【課題を解決するための手段】
【００１８】
前記従来の課題を解決するために、本発明の電子装置は、発熱部品を有するプリント基板と、回路基板を囲う金属製の外郭部品と、発熱部品に対面して外郭部品に貼り付けられた絶縁シートとを備え、外郭部品の絶縁シートが貼り付けられた位置に多数の孔群を形成したことを特徴とする。
【００１９】
本構成によって、発熱部品の近くにある外郭部品の、人が触れたときの接触面積と熱容量を低減することができる。
【発明の効果】
【００２０】
以上の構成を持つ本発明の電子装置によれば、発熱部品と近接して金属製の筐体の外郭部品が配置され、発熱部品と金属製の筐体の外郭部品の間に絶縁バリアが配置され筐体の外郭部品と絶縁シートの隙間は空気がほとんど流れない程度に近接した状態で、発熱部品近傍の、金属製の筐体の外郭部品上に多数の孔を開けることにより、人体が筐体の外郭部品に触れた際、筐体の外郭部品との接触面積を減少させる。これにより人体への熱の移動を抑制することが可能となり、孔のない場合と比較すると金属の筐体の外郭部品に触ったときの熱さの程度が緩和できる。
【００２１】
孔が開いているため、樹脂の絶縁シートが外部に露出しているために、孔が開いている部分は発熱部品の外気に対する熱抵抗が金属の筐体の外郭部品がない分低下しかつ、絶縁シートからの熱輻射が、筐体の外郭部品で反射されず外部に放出されるため孔が開いてない場合に比べ外郭部品の孔群の金属部の温度が低下し、触ったときの熱さの程度が緩和される。
【００２２】
以上の効果により、孔を設けることで、触ったときに熱さを緩和する金属の筐体の外郭部品を低コストで実現できる。
【図面の簡単な説明】
【００２３】
【図１】本発明の実施例１における電子装置の外観と断面を示す図
【図２】本発明の実施例１における金属筐体に開けた孔群を示す図
【図３】試験片の鉄板への接触時の温度上昇の図
【図４】従来の金属筐体に施した表面粗さを示す図
【図５】本発明の実施例２におけるＰＤＰ表示装置の構造断面図
【図６】本発明の実施例２における筐体の外郭部品に設けた孔の概要図
【図７】従来のＰＤＰ表示装置の構造断面図
【発明を実施するための形態】
【００２４】
以下本発明を実施するための形態について、図面を参照しながら説明する。
【実施例１】
【００２５】
図１は、本発明の実施例１における電子装置の外観と断面を示す図で、図１（ａ）は本発明の実施例１における電子装置の背面から見た外観図、図１（ｂ）は、図１（ａ）のＡ−Ａ断面図である。
【００２６】
先ず、電子装置１の構成について説明する。図１において、電子装置１は、シャーシ２に固定された金属筐体３が、シャーシ２とプリント基板４とを内包した構成となっている。金属筐体３の表面には防錆およびデザイン上、数十μｍ以下の塗装膜を形成している。プリント基板４は、シャーシ２に立設されたボス５ａ、５ｂにビス止めされており、トランジスターやダイオードなどの高発熱部品６を実装している。高発熱部品６には、アルミ製の放熱板７がビス止めされている。放熱板７は、プリント基板４にボス７ａ、ボス７ｂでビス止めされている。
【００２７】
高発熱部品６と放熱板７との間には放熱グリスが薄く塗られビス止めにより高発熱部品６と放熱板７の間に放熱グリスが充填され空気の隙間が発生することなくビスで密着固定されている。放熱板７と対面する金属筐体３の背面３ａには、高発熱部品６を中心に放熱板７の周囲まで孔群３ａｈが設けられている。放熱板７と金属筐体３との間には、ポリカーボネード製の絶縁シート８が放熱板７よりも広い範囲に配置され、放熱板７と金属筐体３の背面３ａを電気的に絶縁している。絶縁シート８は、金属筐体３の内側の面に、孔群３ａｈの無い上の領域および下の領域に両面テープで貼り付けられ密着固定されている。放熱板７と絶縁シート８は平行に対面しており隙間ｈａを開けて近接している。
【００２８】
金属筐体３には、４本の足９a、９ｂ、９ｃ、９ｄ（図示せず）が底面３ｃに固定されており、電子装置１は天面３ｂが鉛直上、底面３ｃが鉛直下になるように設置される。天面３ｂには放熱孔群３ｂｈが、底面３ｃには放熱孔群３ｃｈが形成されている。
【００２９】
次に、電子装置の高発熱部品６の熱の流れを説明する。高発熱部品６で発生した熱は、高発熱部品６の表面から空気への熱伝達、高発熱部品６の表面からの熱輻射、高発熱部品６のリード線１０を介してプリント基板４への熱伝導、放熱グリスを介して密着した放熱板７への熱伝導により放出され周囲の温度を上げる。
【００３０】
電子装置１の薄型化のデザイン要望により、放熱板７と絶縁シート８の隙間ｈａが２ｍｍ以下になると空気の流れが著しく悪くなり、放熱板７の板厚が２ｍｍ以下で薄い場合、面方向への熱拡散量が小さく放熱板７上に急峻なヒートスポットができてしまう。放熱板７上のヒートスポットの熱は、輻射熱と空気の熱伝導とわずかな対流により絶縁シート８に伝えられ、絶縁シート８に伝えられた熱は、金属筐体３の背面３ａの孔群３ａｈの孔の開いている部分は絶縁シート８から熱輻射および絶縁シート８が外気に露出している部分の空気への熱伝達によって放出される。また、孔群３ａｈの孔の無い部分の熱は、絶縁シート８から、わずかな空気層を介して金属筐体３に伝わり金属筐体３の表面から熱輻射と空気への熱伝達により放出される。
【００３１】
高発熱部品６から外部への熱抵抗は、この孔がある部分が、無い部分に比べ、金属筐体３の板金層がない分、厚み方向の金属筐体層の熱抵抗と金属筐体層と絶縁シート８とのわずかな隙間の空気層の熱抵抗がない分小さくなり、孔群３ａｈを全く設けない場合と比べ、金属筐体３の表面温度を下げることができる。
【００３２】
金属筐体３には、デザイン上メタリック塗装が施されており、熱輻射が通常の黒色塗装より大幅に低下しているため、ポリカーボネード製絶縁シートの輻射率の方が大きくなっている。
【００３３】
孔群３ａｈの孔ピッチと形状に関して説明する。図２は、本発明の実施例１における金属筐体に開けた孔群を示す図である。図２に示すように、金属筐体３の孔群３ａｈの直径は、５．７ｍｍ以下となっている。これは、ＩＥＣ（Ｉｎｔｅｒｎａｔｉｏｎａｌ  Ｅｌｅｃｔｒｏｔｅｃｈｎｉｃａｌ  Ｃｏｍｉｓｓｉｏｎ）：国際電気標準会議の安全規格第７版にて、幼児の手指が孔を通過し内部部品に触れるのを防ぐために規定されている値である。
【００３４】
図２に示す孔群３ａｈの孔と孔の間隔は０．８ｍｍ〜１．６ｍｍとする。この間隔にすることで、金属筐体３の材質が鉄で厚さが０．４５ｍｍのとき、多数の孔群３ａｈを一工程のパンチ抜きで開けることができる。また、孔と孔の間隔を０．８ｍｍ未満にすると、孔開けが二工程になりコストアップとなることと、筐体の強度が低下する。
【００３５】
次に、電子装置１の内部の空気の流れについて説明する。電子装置１の内部の空気は、高発熱部品６の熱エネルギーが放熱板７および高発熱部品６の周囲の空気を暖め膨張させるため浮力を生じ上昇気流となって孔群３ｂｈから抜けていく。その空気を補うため下側の孔群３ｃｈから冷たい外気が取り入れら、それらの連続作用で自然対流が発生する。
【００３６】
孔群３ａｈは金属筐体３に孔が開けられているが、絶縁シート８が接触しているため、孔群３ａｈから筐体内部に流れ込む外気はほとんどない。従来の金属筐体の孔は内部の空気の換気に用いる目的で開けられているのに対して、本発明の金属筐体３の孔群３ａｈは、人が触れたときの接触体感温度を低減させることを目的としている。副次的効果として、孔が多く開いているため、筐体内部の絶縁シートからの放射熱を効率よく外部に放出でき、金属筐体３の表面の温度を下げることができる。
【００３７】
このように、本発明の電子装置は、高発熱部品６、放熱板７、絶縁シート６が近接した構成で、金属筐体３に孔群３ａｈを設けることで、金属と人肌との接触面積が減少して人肌への熱移動量の減少し、かつ、孔が抜けているため金属筐体３の熱容量が小さくなるため金属筐体３が冷えやすくなる。このように、金属筐体の表面の温度の低下により、孔を設けない金属筐体に比べ、金属筐体を触ったときの熱さ感覚を大幅に緩和できる。
【００３８】
次に、人体が金属筐体に触れたときに感じる接触体感温度について述べる。一般に金属筐体は、樹脂筐体に比べ接触体感温度が高くなる。例えば、４５℃の樹脂部材と４５℃の金属部材に触れた場合、同一温度でも樹脂と金属では人の感じる温度が大きく異なり、樹脂では温かい程度に感じるのに対して金属の場合は、熱いと感じ長時間触れることができなくなる。電子装置１の金属筐体３の表面には防錆およびデザイン上、数十μｍ以下の塗装膜を形成しているが、樹脂層である塗装膜が非常に薄いため熱抵抗が小さく、人体が接触した場合には、金属の生地と同様に刺すような熱さを感じる。
【００３９】
次に、本発明の実施例１における電子装置の孔群３ａｈに触ったときの温度上昇の推移を測定した結果について記す。
【００４０】
図３は、試験片の鉄板への接触時の温度上昇の図である。この試験では、本発明の孔ありと、孔無しと、表面粗さ５０μｍの凹凸加工の３種類について温度上昇を測定した。孔ありの孔群３ａｈの形状として、図２に示すように厚さ０．４５ｍｍの鉄板に、直径φ５．４ｍｍで孔ピッチＹ方向６．９ｍｍ、Ｘ方向６．０ｍｍ、開孔率５５％となるように設けたものとした。孔無しとして、厚さ０．４５ｍｍの単なる鉄板とした。そして、表面粗さ５０μｍの凹凸加工として、図４に示すように厚さ０．４５ｍｍの鉄板に表面粗さ５０μｍの凹凸加工を施したものとした。そして、図１のように、各々の鉄板の裏側に絶縁シート８を貼付して表面が平面で均熱化されているヒータの上に絶縁シート８が接するように置き、試験を行った。これらの鉄板の表面を６５℃に加熱し、指を模擬した試験片（直径１５ｍｍの１Ｗ／ｍ・Ｋ、ゴム硬度８度（ＪＩＳ：Ａ）、２５℃にして接触開始）を１００ｇｆの力で接触させたときの試験片の鉄板との接触表面から０．２ｍｍ内部の試験片の温度上昇推移を測定した。
【００４１】
図３の結果からそれぞれの鉄板を比較すると、本発明の孔あり（孔群３ａｈがあるもの）が一番試験片の接触直後からの温度上昇が緩やかになり、次に、表面粗さ５０μｍの凹凸加工を施したもの、一番急峻に温度上昇するものは孔無しの鉄板となった。
【００４２】
本発明の孔ありが一番緩やかな温度上昇になった理由は、鉄板と試験片との接触面積の５５％が熱伝導の低い絶縁シートになり、実質、鉄板と試験片との接触面積は４５％と小さくなり、かつ、鉄板の熱容量が孔の部分がないため小さくなったため、孔無しの鉄板に比べ試験片が接触して早急に試験片に伝熱することが困難になったためである。表面粗さ５０μｍの凹凸加工を施したものについては、鉄板と試験片との接触面積は小さくなるものの、鉄板の熱容量は大きな減少はないため、触った瞬間の温度上昇は、この孔群３ａｈに比べ鋭く立ち上がる。
【００４３】
かかる構成によれば、金属製の外郭部品（金属筐体３）の内側に高温部（高発熱部品６）を有し高温部と金属製の外郭部品の間に絶縁シートが配置され、絶縁シートが前記外郭部品に当接、または、絶縁シートと前記外郭部品の間を空気が流れない程度に近接している電子装置に関して、前記外郭部品が前記高温部の近傍に多数の孔群を形成することにより、前記孔から筐体内部の絶縁シートからの放射熱を効率よく外部に放出でき、金属筐体３の表面の温度を下げることができ、孔群３ａｈの領域内の金属筐体と人肌との接触面積の減少により人肌への熱移動量の減少でき、孔が抜けているため金属筐体３の熱容量が小さくなるため金属筐体３が冷えやすくできるため、孔を設けない金属筐体に比べ、金属筐体を触ったときの熱さ感覚を大幅に緩和することができる。
【００４４】
なお、本実施例において、孔群３ａｈの孔径をφ５．４ｍｍとしたが、絶縁シートの下側に絶縁シートが破れたら困る危険な活電部があり、安全性を高めたい場合は、φ３．０ｍｍのテストピンが入らない孔径φ２．９ｍｍとしても良い。その場合は、φ２．９ｍｍの孔に対し、Ｘ方向３．７ｍｍ、Ｙ方向３．２ｍｍにすれば同等の開口率となり、触ったときの温度上昇を今回試験したφ５．４ｍｍの孔群と同程度に緩和できる。
【実施例２】
【００４５】
次に、図５と図６を用いて、本発明の電子装置の実施例２について説明する。
【００４６】
本発明の実施例２は、電子装置としてＰＤＰ表示装置を例にして説明する。ＰＤＰ表示装置は電磁妨害波の遮蔽のため、その内部にある電気部品が実装された基板部は、導電性部材で囲まれたシールド構造となっている。そのシールド構造の一部を形成する筐体の外郭部品は電磁妨害波の遮蔽特性とコストメリットから主に鉄板で形成されている。その鉄板で形成された筐体の外郭部品に、発熱量が大きく高温となる部品が接近している場合は、その部分の筐体表面温度が高温となり、外気温度２５℃の場合、筐体表面温度が４５℃前後にまで上昇する場合がある。
【００４７】
その部分に使用者が手で触れた場合、４５℃前後の金属の鉄板と接触することとなり、熱さによる不快感や、故障等の異常ではないかという不安感を与えてしまう場合がある。
【００４８】
基板上の開放端子電圧が交流３５Ｖ（ピーク値）又は直流６０Ｖを超える危険な活電部が、高発熱部でもあり、鉄板の筐体の外郭部品と接近しその隙間が耐電圧の確保のための必要な空間距離以下の場合は、これらを絶縁するため絶縁性の樹脂製のシートをその活電気部と筐体の外郭部品の間に配置する必要がある。この場合、高発熱部の周囲の空気は熱せられ高温となるが絶縁シートがあるため、外部への空気の移動が遮断され、筐体の外郭部品の放熱孔を通した筐体外部への排熱が出来なくなるため、筐体の外郭部品の温度のその高発熱部の近傍がより高温化してしまう。
【００４９】
まず、本発明の実施例２におけるＰＤＰ表示装置の構成について説明する。図５は、本発明の実施例２におけるＰＤＰ表示装置の断面を示す模式図である。図５のように、ＰＤＰ表示装置１００は、前部筐体１１０と、筐体の外郭部品１２０と、前面ガラスパネル１３０と、パネルモジュール１４０と、シャーシ１５０と、電気回路基板１６０と、ファン１７０と、絶縁シート１８０とから構成されている。
【００５０】
筐体の外郭部品１２０には、上方に放熱孔１２１、絶縁シート１８０を貼付する位置に多数の孔１２２が設けられている。前部筐体１１０は樹脂で作成されている。前部筐体１１０と筐体の外郭部品１２０が組み合わさり、表示装置の他の構成を覆う。シャーシ１５０は、アルミニウムを主成分とする材料から作成され、パネルモジュール１４０の裏面に貼り付けられている。シャーシ１５０は、パネルモジュール１４０の強度向上と、パネルモジュール１４０からの発熱を熱伝導により放熱する機能を有している。シャーシ１５０の、パネルモジュール１４０と接している面と反対側の面上に、ファン１７０や電気回路基板１６０を取り付ける。電磁妨害対策としてシールド構造とするため、筐体の外郭部品１２０の材質は金属（Ｆｅ，Ａｌ等）である必要がある。
【００５１】
電気回路基板１６０と筐体の外郭部品１２０との間隔が絶縁距離以下となる箇所には、筐体の外郭部品１２０の裏側に樹脂製の絶縁シート１８０を貼付している。
【００５２】
本発明の特徴として、図５のように筐体の外郭部品１２０の絶縁シート１８０を貼付する位置に多数の孔１２２を設ける。この孔１２２は、図６に示すように、直径は、幼児の手指が孔を通過しない条件の５．７ｍｍ以下とする。
【００５３】
かかる構成によれば、金属製の外郭部品１２０の内側に絶縁シート１８０が貼付され、絶縁シート１８０が貼り付けられた位置に多数の孔１２２が設けられていることにより、前記孔から筐体内部の絶縁シートからの放射熱を効率よく外部に放出でき、外郭部品１２０の表面の温度を下げることができ、多数の孔１２２の領域内の外郭部品１２０と人肌との接触面積の減少により人肌への熱移動量の減少でき、孔が抜けているため外郭部品１２０の熱容量が小さくなるため外郭部品１２０に人肌が接触して早急に試験片に伝熱することが困難になったため、孔を設けない外郭部品に比べ、金属の外郭部品を触ったときの熱さ感覚を大幅に緩和することができる。
【産業上の利用可能性】
【００５４】
本発明にかかる電子装置は、高発熱部品に絶縁シートを介して近接した金属筐体を触ったときの熱さ感覚を、金属筐体上のその近傍に孔群をあけることで大幅に緩和することが可能になるので、高発熱部品を内蔵した電子装置として有用である。
【符号の説明】
【００５５】
１    電子装置
２    シャーシ
３    金属筐体
３ａｈ    孔群
４    プリント基板
５ａ，５ｂ    ボス
６    高発熱部品
７    放熱板
８    絶縁シート
９a、９ｂ、９ｃ、９ｄ    足
１０    リード線
１００    ＰＤＰ表示装置
１１０    前面筐体
１２０    筐体の外郭部品
１３０    前面ガラスパネル
１４０    パネルモジュール
１５０    シャーシ
１６０    電気回路基板
１７０    ファン
１８０    絶縁シート
１２２    孔
【図１】
2010249912.tif 000003
【図２】
2010249912.tif 000004
【図３】
2010249912.tif 000005
【図４】
2010249912.tif 000006
【図５】
2010249912.tif 000007
【図６】
2010249912.tif 000008
【図７】
2010249912.tif 000009